(57)【要約】【課題】  子機や患者の状態を検出して呼び出しを行う患者状態検出機器に異常が生じた際に発生する呼び出しが適切に行われるようにしつつ、患者状態検出機器から呼び出しが行われたことを患者に悟らせないようにするとともに、患者状態検出機器からの脱落呼び出しについて、医療従事者が容易に復旧の操作を行うことができるようにする。【解決手段】  壁埋込形子機に着脱自在に取り付けられた子機１、患者状態検出器機器からの呼び出し、異常状態の発生とを区別して判定し、何れの場合でも、報知部４４を動作させ、患者状態検出機器から呼び出しや異常状態が発生した場合には、呼出確認灯２４を点灯／点滅させないようにしている。一方、患者状態検出機器に異常状態が発生した場合には、壁埋込形子機２０の復旧操作部２６の操作のみを有効とし、患者状態検出機器の設置場所と現場での復旧の操作を促すメッセージを表示部２６に表示するようにしている。【選択図】  図１
2010233629.tif 000002
【特許請求の範囲】
【請求項１】
病床の近傍に設置され、患者による呼び出し操作により呼び出しを行うナースコール子機および患者の特定の状態を検出して呼び出しを行う患者状態検出機器を接続する壁埋込形子機と、ナースセンタに設置され、前記ナースコール子機による呼び出しおよび前記患者状態検出機器による呼び出しを報知するナースコール親機とを備えるナースコールシステムであって、
前記壁埋込形子機は、
前記ナースコール子機および前記患者状態検出機器を着脱自在に接続する接続部と、前記接続部に接続されたナースコール子機が呼び出しを行ったか、前記ナースコール子機に異常状態が発生したか、前記接続部に接続された患者状態検出機器が呼び出しを行ったか、前記患者状態検出機器に異常状態が発生したかを区別して判定する異常状態判定部と、前記ナースコール子機が呼び出しを行った場合に子機呼出信号を生成し、前記患者状態検出機器が呼び出しを行った場合に患者状態検出機器呼出信号を生成するとともに、前記ナースコール子機に異常状態が発生したと前記異常状態判定部にて判定した場合に子機異常信号を生成し、前記患者状態検出機器に異常状態が発生したと前記異常状態判定部にて判定した場合に患者状態検出機器異常信号を生成する信号生成部と、前記信号生成部が子機呼出信号を生成した場合に点灯／点滅するとともに、前記信号生成部が患者状態検出機器呼出信号を生成した場合および前記信号生成部が患者状態検出機器異常信号を生成した場合に消灯する呼出確認灯と、前記ナースコール親機による報知および前記呼出確認灯の動作を停止するための復旧操作部とを備え、
前記ナースコール親機は、
前記壁埋込形子機にて生成された子機呼出信号、患者状態検出機器呼出信号、子機異常信号、患者状態検出機器異常信号を入力する親機インターフェースと、前記呼び出しの報知を行うとともに、前記ナースコール子機および前記患者状態検出機器の少なくとも一方に異常状態が発生したことを報知する報知部と、前記報知部の動作および前記呼出確認灯の動作を停止するための親機復旧操作部と、前記親機インターフェースが子機呼出信号、患者状態検出機器呼出信号、子機異常信号、患者状態検出機器異常信号の何れかを入力した場合に前記報知部を動作させるとともに、前記親機インターフェースが患者状態検出機器異常信号を入力した場合に前記親機復旧操作部の操作を無効にし、前記患者状態検出機器異常信号を出力した機器の設置場所とその機器に対する現場での復旧の操作を促すメッセージを生成して出力する親機制御部とを備え、
たことを特徴とするナースコールシステム。
【発明の詳細な説明】
【技術分野】
【０００１】
本発明は、患者が看護師などの医療従事者を呼び出すだけではなく、患者の状態に応じて医療従事者を呼び出すことができるナースコールシステムに関する。
【背景技術】
【０００２】
病院や福祉施設などの施設に設置されるナースコールシステムは、ナースセンタに設置されるナースコール親機と、病室の出入り口近傍の廊下側に設置され、ナースコール親機と接続される廊下灯と、各患者のベッド毎に病室内の壁面に設置され、廊下灯と接続される壁埋込形子機とを備えている。
【０００３】
壁埋込形子機は、医療従事者を呼び出すための呼出ボタン、スピーカ、マイクを備えることで、ナースコール親機側と連絡を取り合うことができるが、表面に露出して設けられたコンセントにナースコール子機のプラグを接続することで、壁埋込形子機に取り付けたナースコール子機によってもナースコール親機側と連絡を取り合うことができる。ここで、ナースコール子機は、壁埋込形子機に対して着脱自在となっている。なお、ナースコール子機を壁埋込形子機に取り付けた場合には、壁埋込形子機に呼出ボタンを設けなくても良い。
【０００４】
また、ナースコール子機としては、握り押しボタンやハンド形子機等がある。ここで、握り押しボタンは、呼出ボタンを備えており、単に呼び出し専用で通話機能は持たない。そのため、患者と医療従事者との通話は、壁埋込形子機に設けられたスピーカやマイクにより行われる。また、ハンド形子機は、呼出ボタンに加えてスピーカおよびマイクを内蔵し、通話機能を持っている。
【０００５】
また、患者が壁埋込形子機に設けた呼出ボタンや、握り押しボタンに設けた呼出ボタン、ハンド形子機に設けた呼出ボタンを押下することで、ナースコール親機および廊下灯では呼び出しの報知が行われる。一方、壁埋込形子機や握り押しボタン、ハンド形子機では、呼出確認灯の点灯／点滅により呼び出しが確実に行われていることが患者に通知される。このような状態で、医療従事者がナースコール親機や廊下灯、壁埋込形子機に設けた復旧ボタンを押下すると、ナースコール親機および廊下灯は、呼び出しの報知を停止し、壁埋込形子機や握り押しボタン、ハンド形子機は、呼出確認灯の点灯／点滅を停止する。
【０００６】
ところで、ナースコールシステムにおいて、ナースコール子機に脱落や断線などの異常が生じると脱落呼び出しの報知を行うものが知られている（例えば、特許文献１など）。特許文献１に記載のナースコールシステムでは、ナースコール子機は外部電源を受けて本体内の各部回路に電源を供給する電源回路を設け、さらに、電源回路と本体内の各部回路との間に、電源脱落回路を設け、電源供給が停止した場合、脱落呼び出しを行う構成となっている。
【０００７】
ところで、患者の状態によっては、呼出ボタンの操作により呼び出しを行うナースコール子機だけではなく、患者がベッドから転落または転倒したことを検出するマットセンサーや、患者に異常が生じたことを検出するためのセンサーまたは医療機器などが必要となるケースがある。そのため、壁埋込形子機に設けたナースコール子機のプラグを接続するためのコンセント以外にも、上述した機器（以下、患者状態検出機器と記載する）のプラグを接続するためのコンセントを設ける必要がある。ここで、患者状態検出機器に関しても、脱落や断線などの異常が生じると脱落呼び出しの報知を行うようにする必要がある。
【０００８】
また、特許文献１に記載の技術では、ナースコール子機の脱落や断線などの異常が解消されない限り、常に脱落呼び出しの報知を行っている。これは、異常が解消されないままナースコール子機が使用され続けることを防止するためである。このような状態では、医療従事者がナースコール親機や廊下灯、壁埋込形子機に設けられている復旧ボタンを押下しても、ナースコール子機の異常が解消されていない限り、脱落呼び出しの報知が停止することはない。また、患者状態検出機器についても、機器の異常が解消されない限り、常に脱落呼び出しの報知が行われることになる。
【０００９】
このような事態を解消するために、脱落呼び出しの復旧については、脱落呼び出しを行っている壁埋込形子機に設けた復旧ボタンを押下することによってのみ可能とし、しかも、ナースコール子機や患者状態検出機器の異常が解消されていない状態でも復旧ボタンの操作を有効とすることが考えられる。これは、医療従事者が脱落呼び出しの原因を特定するために、常に現場となる病室に赴く必要があるためである。
【００１０】
一方で、患者状態検出機器は、患者の意思で医療従事者を呼び出すためのナースコール子機と異なり、患者の状態に応じて医療従事者を呼び出す機器である。そのため、患者状態検出機器が呼び出しを行った場合に、壁埋込形子機に設けた呼出確認灯を点灯／点滅させてしまうと、患者が呼び出しを行ってしまったと思って萎縮したり、呼び出しを行わせないように不自然な行動を取ったりするケースが生じてしまうという問題があった。ここで、不自然な行動とは、患者状態検出機器としてマットセンサーを用いた場合に、患者がマットセンサーを避けるような行動を指す。
【００１１】
このような事態を解消するために、患者状態検出機器からの呼び出し（脱落呼び出しを含む）については、壁埋込形子機の呼出確認灯を点灯／点滅させないうようにすることが考えられる。これにより、患者状態検出機器からの呼び出しについては、患者に通知されないため、これを原因として患者が萎縮したり不自然な行動を取ったりするケースが無くなる。
【先行技術文献】
【特許文献】
【００１２】
【特許文献１】特開２００４−１１２０１５号公報
【発明の概要】
【発明が解決しようとする課題】
【００１３】
しかしながら、上述したように、壁埋込形子機に設けた復旧ボタンによってのみ脱落呼び出しを復旧可能とし、患者状態検出機器からの呼び出し時に呼出確認灯を点灯／点滅させないようにした場合には、次のような問題が生じてしまう。すなわち、患者状態検出機器に脱落や断線などの異常が生じた場合でも、壁埋込形子機の呼出確認灯が点灯／点滅しないため、現場に赴いた医療従事者が呼び出しを行っている患者状態検出機器を特定し難くなってしまう。
【００１４】
本発明は、このような問題を解決するために成されたものであり、患者の操作によって呼び出しを行うナースコール子機や、患者の状態を検出して呼び出しを行う患者状態検出機器に、脱落や断線などの異常な状態が発生して行われる報知が適切に行われるようにしつつ、患者状態検出機器から呼び出しが行われたことを患者に悟らせないようにするとともに、患者状態検出機器に異常状態が発生した場合には、医療従事者が容易に復旧の操作を行うことができるようにすることを目的とする。
【課題を解決するための手段】
【００１５】
上述した課題を解決するために、本発明では、壁埋込形子機に着脱自在に取り付けられたナースコール子機からの呼び出しと、ナースコール子機の異常状態の発生と、壁埋込形子機に着脱自在に取り付けられた患者状態検出機器からの呼び出しと、患者状態検出機器の異常状態の発生とを区別して判定し、何れの場合でも、ナースコール親機では報知を行うようにしている。また、患者状態検出機器からの呼び出しや異常状態が発生したと判定した場合には、壁埋込形子機の呼出確認灯を点灯／点滅させないようにしている。その一方で、患者状態検出機器に異常状態が発生したと判定した場合には、患者状態検出機器が接続されている壁埋込形子機に設けた復旧操作部のみを有効とし、その機器の設置場所と現場での復旧の操作を促すメッセージをナースコール親機や医療従事者が携行する携帯端末などに出力するようにしている。
【発明の効果】
【００１６】
上記のように構成した本発明によれば、患者状態検出機器からの呼び出しや異常状態の発生については、壁埋込形子機の呼出確認灯が点灯／点滅しないので、患者状態検出機器からの呼び出しや異常状態の発生を患者に悟らせないようにすることができる。また、患者状態検出機器からの異常状態の発生については、その機器が接続されている壁埋込形子機の復旧操作部のみが有効とされるので、異常状態の発生の原因を特定するために現場に赴いた医療従事者が容易に復旧操作を行うことができる。また、脱落や断線などの異常な状態が解消されていない状態でも脱落呼び出しを停止することができるので、異常状態の報知が適切に行われるようになる。また、異常状態の発生を行った患者状態検出機器の設置場所と現場での復旧の操作を促すメッセージがナースコール親機や医療従事者が携行する携帯端末などに出力されるので、それを把握した医療従事者が呼出確認灯の点灯／点滅を頼りにしなくても容易に復旧の操作を行うことができる。
【図面の簡単な説明】
【００１７】
【図１】本実施形態によるナースコールシステムの概略構成図である。
【図２】本実施形態によるナースコールシステムの構成例を示すブロック図である。
【図３】本実施形態によるナースコールシステムの動作を示すフローチャートである。
【発明を実施するための形態】
【００１８】
以下、本発明の一実施形態を図面に基づいて説明する。図１は、本実施形態によるナースコールシステムの概略構成図である。また、図２は、本実施形態によるナースコールシステムの構成例を示すブロック図である。図１に示すように、本実施形態によるナースコールシステムは、患者により呼び出し操作が可能なナースコール子機１と、患者の特定の状態を検出するためのマットセンサー（特許請求の範囲の患者状態検出機器に該当する）１０と、病室の壁面に設置される壁埋込形子機２０と、病室の出入り口近傍の廊下側の壁面に設置される廊下灯３０と、ナースセンタに設置され、呼び出しを報知するためのナースコール親機４０とを備える。
【００１９】
また、本実施形態によるナースコールシステムは、他の標準的な構成要素として、例えば、病院内の通信センタに設置される図示しないハンディナースコール主装置、図示しない構内交換機（ＰＢＸ：Private Branch Exchange）、図示しない公衆網、図示しない無線ユニットを備えている。ハンディナースコール主装置には無線ユニットが接続されている。また、ＰＢＸは、公衆網に接続されている。ハンディナースコール主装置は、例えば構内ＰＨＳ（Personal
Handy-phone System）対応の交換装置からなるもので、内部制御部やタイムスイッチの他に、複数の内線と、局線と、保守とを備える。ここで、ハンディナースコール主装置の内線にはそれぞれ無線ユニットの無線基地局が接続されている（何れも図示せず）。
【００２０】
無線基地局は、それぞれ無線エリアを形成し、この無線エリア内に存在する携帯端末との間で無線回線を介して接続されている。また、ハンディナースコール主装置の局線には構内交換機が接続されている。携帯端末は、医者や看護師、介護者（以下、まとめて医療従事者と記載する）が携帯する。
【００２１】
ナースコール子機１は、呼出操作部２および子機インターフェース３を備えて構成されている。マットセンサー１０は、検出部１１およびインターフェース１２を備えて構成されている。壁埋込形子機２０は、壁埋込形子機制御部（特許請求の範囲の信号生成部を含む）２１、壁埋込形子機インターフェース（特許請求の範囲の接続部に該当する）２２、スピーカ２３、呼出確認灯２４、マイク２５、復旧操作部２６、脱落判定部（特許請求の範囲の異常状態判定部に該当する）２７を備えて構成されている。
【００２２】
ナースコール子機１の筐体内から出ているコードの先端にはプラグＰ１が取り付けられており、壁埋込形子機２０の表面に形成されたコンセントＣ１に接続することにより、ナースコール子機１を壁埋込形子機２０に取り付けることができる。ここで、ナースコール子機１は、各病室内に病室内の病床数に応じて設置されている。また、マットセンサー１０から出ているコードの先端にはプラグＰ２が取り付けられており、壁埋込形子機２０の表面に形成されたコンセントＣ２に接続することにより、マットセンサー１０を壁埋込形子機２０に取り付けることができる。ここで、マットセンサー１０は、病床の周囲に設置されており、患者がベッドから降りたことを検出する。なお、本実施形態では、患者の特定の状態を検出するための機器としてマットセンサー１０を例示しているが、これに限定されない。
【００２３】
呼出操作部２は、患者が医療従事者を呼び出す際に操作するためのものであり、呼出ボタンなどにより構成されている。また、子機インターフェース３は、壁埋込形子機インターフェース２２に接続されており、ナースコール子機１と壁埋込形子機２０とを電気的に接続する。また、検出部１１は、患者がベッドから降りてマットセンサー１０を踏んだことを検出する。ここで、マットセンサー１０の検出方法については周知であるため、詳細な説明を省略する。インターフェース１２は、壁埋込形子機インターフェース２２に接続されており、マットセンサー１０と壁埋込形子機２０とを電気的に接続する。
【００２４】
壁埋込形子機制御部２１は、壁埋込形子機２０の各構成要素を後述するように制御するとともに、各種信号を後述するように生成する。壁埋込形子機インターフェース２２は、子機インターフェース３を接続するとともに、インターフェース１２を接続する。また、壁埋込形子機インターフェース２２は、壁埋込形子機２０とナースコール親機４０とを接続して通信を行うためのものである。
【００２５】
ここで、患者が医療従事者を呼び出したい場合に、呼出操作部２を操作する。すると、壁埋込形子機制御部２１は、子機呼出信号を生成する。ここで、子機呼出信号には、この壁埋込形子機２０を他の壁埋込形子機２０と区別するための識別情報が含まれる。また、識別情報としては、ベッド番号などの情報が用いられる。一方、患者がマットセンサー１０を踏んだことを検出部１１にて検出したとする。すると、壁埋込形子機制御部２１は、患者状態検出機器呼出信号を生成する。ここで、患者状態検出機器呼出信号には、この壁埋込形子機２０を他の壁埋込形子機２０と区別するための識別情報が含まれる。また、識別情報としては、ベッド番号などの情報が用いられる。
【００２６】
また、壁埋込形子機インターフェース２２は、壁埋込形子機制御部２１により生成された子機呼出信号や患者状態検出機器呼出信号をナースコール親機４０に出力する。また、壁埋込形子機２０とナースコール親機４０との間で通話が可能である場合に、壁埋込形子機インターフェース２２は、ナースコール親機４０へ音声信号を送信し、ナースコール親機４０から音声信号を受信する。ここで、壁埋込形子機２０とナースコール親機４０との間には、壁埋込形子機２０からの呼び出しを報知したり、病室内の患者の氏名などを表示したりする図示しない廊下灯３０が接続されている。また、壁埋込形子機２０とナースコール親機４０との間には、壁埋込形子機２０およびナースコール親機４０間の通話やデータの送受信に関する制御を行う図示しない制御機が接続されている。
【００２７】
スピーカ２３は、壁埋込形子機インターフェース２２がナースコール親機４０から受信した音声信号を音声として出力する。また、壁埋込形子機制御部２１が子機呼出信号を生成した場合に、壁埋込形子機制御部２１は、ナースコール子機１からナースコール親機４０へ呼び出しが行われたことを患者に把握させるための呼出確認音をスピーカ２３から出力させる。呼出確認灯２４は、ＬＥＤなどにより構成されており、壁埋込形子機制御部２１が子機呼出信号を生成した場合に、壁埋込形子機制御部２１は、ナースコール子機１からナースコール親機４０へ呼び出しが行われたことを患者に把握させるために呼出確認灯を点灯／点滅させる。マイク２５は、病床周辺の音声（主に患者の声など）を集音し、音声信号として壁埋込形子機インターフェース２２に出力する。このとき、壁埋込形子機インターフェース２２はナースコール親機４０へマイク２５から入力した音声信号を送信する。なお、壁埋込形子機制御部２１が患者状態検出機器呼出信号を生成した場合には、壁埋込形子機制御部２１は、スピーカ２３から呼出確認音を出力させず、呼出確認灯２４を点灯／点滅させない。
【００２８】
復旧操作部２６は、壁埋込形子機制御部２１が生成した子機呼出信号や患者状態検出器機器呼出信号が廊下灯３０やナースコール親機４０に出力され、廊下灯３０やナースコール親機４０が後述するように呼び出しの報知を行っている状態で操作され、ナースコール子機１や壁埋込形子機２０、廊下灯３０、ナースコール親機４０を、呼び出しの報知が行われる前の状態に戻すためのものである。また、復旧操作部２６が操作されると、壁埋込形子機制御部２１は、スピーカ２３から出力されている呼出確認音や呼出確認灯の点灯／点滅を停止する。
【００２９】
脱落判定部２７は、ナースコール子機１のプラグＰ１が壁埋込形子機２０のコンセントＣ１から脱落したり、ナースコール子機１のコードが断線したり、マットセンサー１０のプラグＰ２が壁埋込形子機２０のコンセントＣ２から脱落したり、マットセンサー１０のコードが断線したりすることを検出する。また、脱落判定部２７は、プラグＰ１，Ｐ２の脱落や、コードの断線を検出した場合に、それがナースコール子機１であるのかマットセンサー１０であるのかを判定する。ここで、脱落や断線の検出方法については、周知の技術を用いるため、詳細な説明は省略する。
【００３０】
ナースコール子機１のプラグＰ１が壁埋込形子機２０のコンセントＣ１から脱落したりコードが断線したりしたことを脱落判定部２７が判定した場合に、壁埋込形子機制御部２１は、ナースコール子機１に異常な状態が発生したことを示す子機異常信号を生成する。ここで、子機異常信号には、この壁埋込形子機２０を他の壁埋込形子機２０と区別するための識別情報が含まれる。また、識別情報としては、ベッド番号などの情報が用いられる。一方、マットセンサー１０のプラグＰ２が壁埋込形子機２０のコンセントＣ２から脱落したりコードが断線したりしたことを脱落判定部２７が判定した場合に、壁埋込形子機制御部２１は、マットセンサー１０に異常な状態が発生したことを示す患者状態検出機器異常信号を生成する。ここで、患者状態検出機器異常信号には、この壁埋込形子機２０を他の壁埋込形子機２０と区別するための識別情報が含まれる。また、識別情報としては、ベッド番号などの情報が用いられる。また、壁埋込形子機インターフェース２２は、壁埋込形子機制御部２１により生成された子機異常信号や患者状態検出機器異常信号をナースコール親機４０に出力する。
【００３１】
なお、壁埋込形子機制御部２１が子機異常信号や患者状態検出機器異常信号を生成した場合には、壁埋込形子機制御部２１は、スピーカ２３から呼出確認音を出力させず、呼出確認灯２４を点灯／点滅させない。また、復旧操作部２６は、壁埋込形子機制御部２１が生成した子機異常信号や患者状態検出器機器異常信号が廊下灯３０やナースコール親機４０に出力され、廊下灯３０やナースコール親機４０が後述するように異常状態の発生の報知を行っている状態で操作され、ナースコール子機１や壁埋込形子機２０、廊下灯３０、ナースコール親機４０を、異常発生の報知が行われる前の状態に戻す。
【００３２】
次に、廊下灯３０の各構成要素を説明する。なお、廊下灯３０は本発明に必須の構成要素ではない。廊下灯３０の筐体の前面には、廊下灯３０が設置されている病室に入院している患者の氏名を表示する氏名表示欄Ｎ１が中央に配置されている。また、氏名表示欄Ｎ１の上方には、病室番号が表記されている。また、病室番号の上方には、壁埋込形子機２０の壁埋込形子機インターフェース２２から出力された子機呼出信号や患者状態検出機器呼出信号、子機異常信号、患者状態検出機器異常信号を入力した場合に点灯／点滅する表示灯Ｌ１が設置されている。ここで、表示灯Ｌ１の点灯／点滅パターンを各信号によって異ならせることで、廊下灯３０を見た医療従事者が呼び出しの種別や異常状態の発生の種別を区別して把握することができる。
【００３３】
廊下灯復旧操作部３１は、壁埋込形子機制御部２１が生成した子機呼出信号や患者状態検出機器呼出信号が廊下灯３０やナースコール親機４０に出力されて、廊下灯３０やナースコール親機４０が呼び出しの報知を行っている状態で操作され、ナースコール子機１や壁埋込形子機２０、廊下灯３０、ナースコール親機４０を、呼び出しの報知が行われる前の状態に戻すためのものである。なお、壁埋込形子機制御部２１が生成した子機異常信号や患者状態検出機器異常信号が廊下灯３０やナースコール親機４０に出力され、廊下灯３０やナースコール親機４０が異常状態の発生の報知を行っている状態では、廊下灯復旧操作部３１の操作は無効となる。
【００３４】
次に、ナースコール親機４０の各構成要素について説明する。ナースコール親機４０は、親機制御部４１、親機インターフェース４２、記憶部４３、報知部４４、親機復旧操作部４５、表示部４６を備えて構成されている。また、ナースコール親機４０の筐体の前面には、このナースコール親機４０によって管理される患者の氏名を表示する氏名表示欄Ｎ２が右方にそれぞれ配置されている。氏名表示欄Ｎ２は同じ病室に入院している患者毎に一まとまりに配置されている。そして、各氏名表示欄Ｎ２の左方には、ベッド番号が表記されており、ベッド番号の下方には個別表示灯Ｌ２が設置されている。また、ナースコール親機４０の筐体の前面の左方には、医療従事者が患者との間で通話を行う際に使用されるハンドセットＨが設置されており、その背面には、スピーカＳＰが設置されている。また、ハンドセットＨの上方には後述する表示部４６が設置されている。
【００３５】
親機制御部４１は、ナースコール親機４０の各構成要素を後述するように制御するためのものであり、ＣＰＵ（Central Processing Unit）などにより構成されている。親機インターフェース４２は、ナースコール親機４０と壁埋込形子機２０とを廊下灯３０を介して接続して通信を行うためのものである。ここで、親機インターフェース４２は、壁埋込形子機２０から出力された子機呼出信号や患者状態検出機器呼出信号、子機異常信号、患者状態検出機器異常信号を入力する。また、壁埋込形子機２０とナースコール親機４０との間で通話が可能である場合に、親機インターフェース４２は、壁埋込形子機２０へ音声信号を送信し、壁埋込形子機２０から音声信号を受信する。
【００３６】
記憶部４３は、メモリやハードディスクドライブなどの記憶装置により構成されており、ナースコール親機４０に接続されている壁埋込形子機２０の識別情報（例えば、ベッド番号など）と患者を識別する患者識別情報（例えば、患者氏名など）とを関連付けて記憶している。また、記憶部４３は、表示部４６に表示される画面の画像情報を記憶している。
【００３７】
報知部４４は、ナースコール子機１やマットセンサー１０からの呼び出しや異常状態の発生を報知するためのものである。また、報知部４４は、音声を出力するスピーカＳＰおよび氏名表示欄Ｎ２の近傍に設置されている表示灯Ｌ２により構成されている。ここで、親機インターフェース４２が壁埋込形子機２０から出力された子機呼出信号や患者状態検出機器呼出信号、子機異常信号、患者状態検出機器異常信号を入力すると、親機制御部４１は、報知部４４を動作させる。ここで、親機制御部４１は、子機呼出信号や患者状態検出機器呼出信号、子機異常信号、患者状態検出機器異常信号に含まれる識別情報と一致する識別情報が記憶部４３に記憶されているか否かを調べ、一致する識別情報が記憶部４３に存在すると判断した場合に、関連付けて記憶されている患者識別情報を取得する。そして、その患者識別情報に対応する表示灯Ｌ２を点灯／点滅させる。なお、スピーカＳＰから出力される音声パターンや表示灯Ｌ２の点滅パターンを各信号によって異ならせることで、ナースコール親機４０を見た医療従事者が呼び出しの種別や異常状態の発生の種別を区別して把握することができる。
【００３８】
親機復旧操作部４５は、壁埋込形子機制御部２１が生成した子機呼出信号や患者状態検出機器呼出信号が廊下灯３０やナースコール親機４０に出力され、廊下灯３０の表示灯Ｌ１やナースコール親機４０の報知部４４が呼び出しの報知を行っている状態で操作される。親機復旧操作部４５が操作されると、親機制御部４１は、ナースコール子機１や壁埋込形子機２０、廊下灯３０、ナースコール親機４０を、呼び出しの報知が行われる前の状態に戻す。すなわち、廊下灯３０では、表示灯Ｌ１の点灯／点滅が停止し、壁埋込形子機２０では、壁埋込形子機制御部２１がスピーカ２３から出力されている呼出確認音や呼出確認灯２４の点灯／点滅を停止する。また、親機制御部４１は、報知部４４の動作を停止する。
【００３９】
ここで、壁埋込形子機２０と廊下灯３０とナースコール親機４０との間で相互に復旧の動作をさせるために、復旧の操作を行った機器からその他の機器に対して復旧信号を送信している。また、親機復旧操作部４５は、ハンドセットＨのオフフックに連動して動作する。すなわち、呼び出しの報知が報知部４４により行われている状態で、医療従事者がハンドセットＨをオフフックすると、親機復旧操作部４５が操作される。
【００４０】
なお、壁埋込形子機制御部２１が生成した子機異常信号や患者状態検出機器異常信号が廊下灯３０やナースコール親機４０に出力され、廊下灯３０やナースコール親機４０が異常状態の発生の報知を行っている状態では、親機復旧操作部４５の操作は無効となる。
【００４１】
表示部４６は、液晶ディスプレイなどの表示装置により構成されており、後述するメッセージを表示する。親機インターフェース４２が壁埋込形子機２０から出力された患者状態検出機器異常信号を入力すると、親機制御部４１が報知部４４を動作させる。それと同時に、親機制御部４１は、子機呼出信号や患者状態検出機器呼出信号、子機異常信号、患者状態検出機器異常信号に含まれる識別情報する。そして、親機制御部４１は、識別情報であるベッド番号と、その病床近傍に設置されているマットセンサー１０に対して現場にて復旧を行うことを促すメッセージを生成して表示部４６に表示させる。
【００４２】
例えば、患者氏名が「山田太郎」の病床近傍に設置されている壁埋込形子機２０に取り付けられているマットセンサー１０が脱落した場合、壁埋込形子機２０の呼出確認灯２４は点灯／点滅しない。その一方で、廊下灯３０の表示灯Ｌ１は点灯／点滅する。また、ナースコール親機４０の報知部４４も動作する。この状態で、表示部４６には、「１０１−１にてマットセンサー脱落、現場復旧してください」といったメッセージが表示される。また、この状態で医療従事者がハンドセットＨをオフフックしても報知部４４などの動作は停止しない（復旧の動作が行われない。また、医療従事者が廊下灯３０の廊下灯復旧操作部３１を操作しても報知部４４などの動作は停止しない。しかしながら、上述したメッセージを見た医療従事者が「山田太郎」の居る病室に赴き、病床近傍に設置されている壁埋込形子機２０の復旧操作部２６を操作すると、マットセンサー１０が脱落した状態でも、報知部４４などの動作は停止する。
【００４３】
医療従事者は、脱落していたマットセンサー１０のプラグＰ２を壁埋込形子機２０のコンセントＣ２に接続した後に復旧操作部２６を操作しても良いし、復旧操作部２６を操作した後に脱落していたマットセンサー１０のプラグＰ２を壁埋込形子機２０のコンセントＣ２に接続しても良い。なお、このような使用方法以外にも、医療従事者がマットセンサー１０を意図的に取り外す際にも、使用可能である。例えば、医療従事者は、マットセンサー１０のプラグＰ２を壁埋込形子機２０のコンセントＣ２から外して、その直後に復旧操作部２６を操作する。このような一連の動作により、マットセンサー１０を意図的に外しても、異常発生の報知が各機器から行われることがなくなる。
【００４４】
次に、本実施形態によるナースコールシステムの動作を説明する。図３は、本実施形態によるナースコールシステムの動作を示すフローチャートである。なお、本説明では、廊下灯３０の説明を省略している。まず、ナースコール子機１が脱落したか否かを壁埋込形子機制御部２１および親機制御部４１にて調べる（ステップＳ１）。ナースコール子機１が脱落したと壁埋込形子機制御部２１および親機制御部４１にて判断した場合には（ステップＳ１にてＹＥＳ）、親機制御部４１は報知部４４を動作させ、壁埋込形子機制御部２１は呼出確認灯２４を点滅（または点灯）させる（ステップＳ２）。
【００４５】
壁埋込形子機制御部２１および親機制御部４１は、異常の状態（ナースコール子機１の脱落）が解消されたか否かを調べる（ステップＳ３）。異常の状態が解消されていないと壁埋込形子機制御部２１および親機制御部４１にて判断した場合には（ステップＳ３にてＮＯ）、ステップＳ３の処理を繰り返す。一方、異常の状態が解消されたと壁埋込形子機制御部２１および親機制御部４１にて判断した場合には（ステップＳ３にてＹＥＳ）、親機制御部４１は報知部４４の動作を停止し、壁埋込形子機制御部２１は呼出確認灯２４を消灯する（ステップＳ４）。
【００４６】
ステップＳ１にて、ナースコール子機１が脱落していないと壁埋込形子機制御部２１および親機制御部４１にて判断した場合には（ステップＳ１にてＮＯ）、マットセンサー１０が脱落しているか否かを壁埋込形子機制御部２１および親機制御部４１にて調べる（ステップＳ５）。マットセンサー１０が脱落していないと壁埋込形子機制御部２１および親機制御部４１にて判断した場合には（ステップＳ５にてＮＯ）、ステップＳ１の処理に戻る。
【００４７】
一方、マットセンサー１０が脱落したと壁埋込形子機制御部２１および親機制御部４１にて判断した場合には（ステップＳ５にてＹＥＳ）、親機制御部４１は報知部４４を動作させ、ベッド番号と現場での復旧を促すメッセージを表示部４６に表示するとともに、壁埋込形子機制御部２１は呼出確認灯２４を点滅（または点灯）させず、復旧操作部２６の操作を有効とする（ステップＳ６）。
【００４８】
そして、壁埋込形子機制御部２１は復旧操作部２６が操作されたか否かを調べる（ステップＳ７）。復旧操作部２６が操作されていないと壁埋込形子機制御部２１にて判断した場合には（ステップＳ７にてＮＯ）、ステップＳ７の処理を繰り返す。一方、復旧操作部２６が操作されたと壁埋込形子機制御部２１にて判断した場合には（ステップＳ７にてＹＥＳ）、親機制御部４１は報知部４４の動作を停止し、メッセージを表示部４６から消去する（ステップＳ８）。
【００４９】
以上詳しく説明したように、本実施形態によれば、壁埋込形子機２０に着脱自在に取り付けられたナースコール子機１からの呼び出しと、ナースコール子機１の異常状態の発生（脱落など）と、壁埋込形子機に着脱自在に取り付けられた患者状態検出機器であるマットセンサー１０からの呼び出しと、マットセンサー１０の異常状態の発生（脱落など）とを壁埋込形子機制御部２１、脱落判定部２７、親機制御部４１にて区別して判定し、何れの場合でも、親機制御部４１は報知部４４を動作させるようにしている。また、マットセンサー１０からの呼び出しや異常状態が発生したと判定した場合には、壁埋込形子機制御部２１は、壁埋込形子機２０の呼出確認灯２４を点灯／点滅させないようにしている。その一方で、マットセンサー１０に異常状態が発生したと判定した場合には、壁埋込形子機制御部２１は、マットセンサー１０が接続されている壁埋込形子機２０の復旧操作部２６の操作のみを有効とし、親機制御部４１は、マットセンサー１０の設置場所と現場での復旧の操作を促すメッセージを表示部２６に表示するようにしている。
【００５０】
これにより、患者状態検出機器であるマットセンサー１０からの呼び出しや異常状態の発生については、壁埋込形子機２０の呼出確認灯２４が点灯／点滅しないので、マットセンサー１０から呼び出しや異常状態の発生を患者に悟らせないようにすることができる。また、マットセンサー１０の異常状態の発生（脱落など）については、マットセンサー１０が接続されている壁埋込形子機２０の復旧操作部２６の操作のみが有効とされるので、異常状態の発生の原因を特定するために現場に赴いた医療従事者が容易に復旧の操作を行うことができる。また、脱落や断線などの異常な状態が解消されていない状態でも廊下灯３０がナースコール親機４０での報知の動作を停止することができるので、異常状態の発生の報知が適切に行われるようになる。また、異常状態の発生を行ったマットセンサーの設置場所と現場での復旧の操作を促すメッセージがナースコール親機４０の表示部４６に表示されるので、それを把握した医療従事者が呼出確認灯２４の点灯／点滅を頼りにしなくても容易に復旧の操作を行うことができる。
【００５１】
なお、本実施形態では、壁埋込形子機２０にナースコール子機１およびマットセンサー１０などの患者状態検出機器を取り付ける場合に、別々のコンセントＣ１，Ｃ２にプラグＰ１，Ｐ２を接続するようにしているが、これに限定されない。例えば、一つのコンセントに分配機器を取り付け、分配機器に設けたコンセントＣ１，Ｃ２にそれぞれの機器のプラグＰ１，Ｐ２を接続するようにしても良い。
【００５２】
また、本実施形態では、マットセンサー１０などの患者状態検出機器の設置場所と現場での復旧を促すメッセージをナースコール親機４０の表示部４６に表示するようにしているが、これに限定されない。例えば、医療従事者によって携行される携帯端末の表示画面にメッセージを表示するようにしても良い。
【００５３】
また、本実施形態では、マットセンサー１０などの患者状態検出機器の設置場所と現場での復旧を促すメッセージをナースコール親機４０の表示部４６に表示するようにしているが、これに限定されない。例えば、スピーカＳＰから音声によりメッセージを出力するようにしても良いし、医療従事者によって携行される携帯端末のスピーカから音声によりメッセージを出力するようにしても良い。
【００５４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５５】
１    ナースコール子機
２    呼出操作部
３    子機インターフェース
１０    マットセンサー
１１    検出部
１２    インターフェース
２０    壁埋込形子機
２１    壁埋込形子機制御部
２２    壁埋込形子機インターフェース
２３    スピーカ
２４    呼出確認灯
２５    マイク
２６    復旧操作部
４０    ナースコール親機
４１    親機制御部
４２    親機インターフェース
４３    記憶部
４４    報知部
４５    親機復旧操作部
４６    表示部
【図１】
2010233629.tif 000003
【図２】
2010233629.tif 000004
【図３】
2010233629.tif 000005